(57)【要約】      （修正有）【課題】交換可能なように腕輪ないしストラップを腕時計ケースに取り付けるためのデバイスを提供する。【解決手段】腕時計ケースに腕輪ないしストラップ２を取り付けるためのデバイスであって、少なくとも１つのホーンによって腕時計ケースに固定される棒体と、及び腕輪の端と一体化されている挿入部２０とを有し、棒体と挿入部２０は相補的であり、棒体は、少なくとも１つの平坦部分４１を有する円筒状のアーバーによって形成され、平坦部分４１は、嵌まることによって挿入部２０において形成されたハウジング２１と連係しており、ハウジング２１には、少なくとも１つの平坦部分４１を受ける実質的に長方形の開口２１０があり、棒体は、挿入部２０が棒体のアーバー上に配置されることができる第１の位置から挿入部が棒体上にロックされる第２の位置まで、棒体を回転させるための少なくとも１つの制御メンバーを有する。【選択図】図２
2019012069.tif 000002
【特許請求の範囲】
【請求項１】
腕時計ケース（１）に腕輪ないしストラップ（２）を取り付けるための取り付けデバイスであって、
少なくとも１つのホーン（１０）によって前記腕時計ケース（１）に固定される棒体（４）と、及び腕輪の端と一体化されている挿入部（２０）とを有し、
前記棒体（４）と前記挿入部（２０）は、一方が他方の内側になるように嵌められるように連係するように相補的であり、
これによって、腕輪を交換可能にすることができるような取り外し可能なアセンブリー手段を形成し、
前記棒体（４）は、少なくとも１つの平坦部分（４１）を有する円筒状のアーバー（４０）によって形成され、
前記平坦部分（４１）は、嵌まることによって前記少なくとも１つの挿入部（２０）において形成された少なくとも１つのハウジング（２１）と連係するように構成しており、
前記少なくとも１つのハウジング（２１）には、前記少なくとも１つの平坦部分（４１）を受ける実質的に長方形の開口（２１０）があり、
前記棒体（４）は、前記挿入部（２０）が前記棒体（４）の前記アーバー（４０）上に配置されることができる第１の位置（Ａ）から前記挿入部が前記棒体の前記アーバー（４０）上にロックされる第２の位置（Ｂ）まで、軸（Ａ−Ａ）のまわりに前記棒体を回転させるための少なくとも１つの制御メンバーを有する
ことを特徴とする取り付けデバイス。
【請求項２】
前記制御メンバーは、前記棒体（４）の少なくとも１つの端にて少なくとも１つのカラー（４３）を有し、
前記少なくとも１つのカラー（４３）は、軸方向の保持要素を形成している
ことを特徴とする請求項１に記載の取り付けデバイス。
【請求項３】
前記少なくとも１つのカラー（４３）は、前記腕時計ケース（１）の少なくとも１つの側方止め面と連係する
ことを特徴とする請求項１又は２に記載の取り付けデバイス。
【請求項４】
前記少なくとも１つのカラー（４３）には、前記軸（Ａ−Ａ）のまわりに前記棒体（４）を回転させる工具と連係するように構成している溝（４５）がある
ことを特徴とする請求項２に記載の取り付けデバイス。
【請求項５】
前記カラー（４３）には、前記棒体（４）の前記第１の位置（Ａ）を示すガイドマーク（４４）がある
ことを特徴とする請求項１〜４のいずれかに記載の取り付けデバイス。
【請求項６】
前記腕時計ケース（１）は、前記棒体の位置を維持する手段を有し、
この維持する手段は、前記棒体の前記アーバー（４０）上に形成された少なくとも１つのキャビティ（４２、４２’）と連係するように構成している少なくとも１つのボールキャッチ（１４）を有する
ことを特徴とする請求項１〜５のいずれかに記載の取り付けデバイス。
【請求項７】
前記アーバー（４０）には、前記棒体が前記第１の位置（Ａ）にあるときにボールキャッチの対（１４）と連係するように構成しているキャビティの第１の対（４２）がある
ことを特徴とする請求項６に記載の取り付けデバイス。
【請求項８】
前記アーバー（４０）には、前記棒体が前記第２の位置（Ｂ）にあるときにボールキャッチの対（１４）と連係するように構成しているキャビティの第２の対（４２’）がある
ことを特徴とする請求項６に記載の取り付けデバイス。
【請求項９】
前記キャビティの第１の対（４２）と前記キャビティの第２の対（４２’）は、前記軸（Ａ−Ａ）のまわりに４５°、好ましくは、前記軸（Ａ−Ａ）のまわりに９０°、角度的にシフトしている
ことを特徴とする請求項６又は７に記載の取り付けデバイス。
【請求項１０】
前記腕時計ケースは、直径が前記棒体の前記アーバーの直径に対応している通路がある中央ホーンを有する
ことを特徴とする請求項１〜９のいずれかに記載の取り付けデバイス。
【請求項１１】
前記棒体（４）は、その端の近くに平坦部分（４１）を有し、
前記平坦部分（４１）の１つは、前記中央ホーン（１０）の片側に配置されている
ことを特徴とする請求項１０に記載の取り付けデバイス。
【請求項１２】
前記中央ホーン（１０）は、ねじ（１３）によって前記腕時計ケース（１）上に保持される取り外し可能なキャップ（１２）を有する
ことを特徴とする請求項１０又は１１に記載の取り付けデバイス。
【請求項１３】
前記ハウジング（２１）は、開口（２１０）がある溝の形態であり、
前記ハウジング（２１）の断面は、Ｃ字状である
ことを特徴とする請求項１〜１２のいずれかに記載の取り付けデバイス。
【発明の詳細な説明】
【技術分野】
【０００１】
本発明は、計時器又は装飾品の分野に関する。本発明は、より詳細には、物、特に、腕時計ケースに、ストラップ又は腕輪を取り付ける方法に関する。
【背景技術】
【０００２】
一般的には、皮革又は金属で作られたストラップ又は腕輪は、管体によって形成された棒体によって、腕時計ケースのホーンに取り付けられる。この管体の内部に、平行移動する２つのピストンがマウントされ、弾性メンバーが、これらのピストンの間に配置されたり、これらのピストンを管体の外側の方へと駆動するように意図される。前記棒体は、腕輪の一端においてこの目的のために設けられたハウジング内にてマウントされ、これらのピストンは、ケースのホーン内にてこれらのピストンとは反対側に形成される非貫通ボア内にて係合する。
【０００３】
このようにしてケースに取り付けられたストラップ又は腕輪を取り外すためには、弾性メンバーが与える応力に対抗して管体内にピストンを押し戻してピストンをボアから追い出すように設計された工具が必要である。腕時計の着用者は、このような工具を恒久的に装備しているわけではなく、また、このような工具を用いることは不便であることがある。このため、このような取り付けデバイスを備える腕輪は、一般的には、ケースに恒久的に固定されることが多い。
【０００４】
また、工具を使用せずに腕輪をケースから外すことができるような取り付けデバイスが存在する。このようなデバイスは、通常、上記のタイプの棒体を有し、この棒体上に、ピストンをアクチュエートさせるメンバーが管体を通るようにマウントされている。このアクチュエートメンバーは、例えば、スイス特許ＣＨ３２７８３８に記載されているような、一方のピストンと一体化されている半径方向のフィンガーである。このフィンガーは、管体に作られた軸方向の溝を通るように摺動可能にマウントされ、このフィンガーの溝に沿った運動によって、管体内の一方のピストンが押される。
【０００５】
スイス特許ＣＨ６１４５８９は、ストラップをケースに取り付けるためのデバイスを備えた腕時計ケースを開示している。中央ホーンには、ホーンの全長にわたって長手方向に形成された筒状通路があり、ストラップを取り付けるための棒体を挿入することができるようになっている。この棒体は、その全長にわたって平坦部分がある円筒状であり、この棒体が前記筒状通路に挿入されたときに棒体が通ることができ、この棒体が所定の角位置を占めるときにこの棒体を適切な位置に保持する。
【０００６】
このような取り付けデバイスは、一般的には、ユーザーの望みに応じて変えることができる交換可能な腕輪ないしストラップのために用いられる。しかし、このような取り付けデバイスには課題がないわけではなく、特に、このような取り付けデバイスは、棒体を大きく構造的に改変することを必要とする。例えば、管体に開口を作ったり、ピストンを改変したりすることである。このような改変は、著しく大きな付加的な製造コストを発生させてしまう。また、このような取り付けデバイスは、さらに、突き出ている要素、すなわち、アクチュエートメンバー、を有する。このことによって、腕時計の着用者を挟んだり、引っかけたり、負傷させてしまうことがありうる。
【発明の概要】
【発明が解決しようとする課題】
【０００７】
本発明は、腕時計ケースに腕輪ないしストラップを取り付けるためのデバイスを提案することによって、前記の課題を解決することを可能にする。このデバイスは、少なくとも１つのホーンによって前記腕時計ケースに固定される棒体と、及び腕輪の端と一体化されている挿入部とを有し、前記棒体と前記挿入部は、一方が他方の内側になるように嵌められるように連係するように相補的であり、これによって、腕輪を交換可能にすることができるような取り外し可能なアセンブリー手段を形成している。
【課題を解決するための手段】
【０００８】
本発明によると、前記棒体は、少なくとも１つの平坦部分を有する円筒状のアーバーによって形成され、前記平坦部分は、嵌まることによって前記挿入部において形成された少なくとも１つの非貫通のハウジングと連係するように構成しており、前記非貫通のハウジングには、前記棒体の前記少なくとも１つの平坦部分を受ける実質的に長方形の開口があり、前記棒体は、前記棒体の前記平坦部分が前記挿入部を受けることができる第１の位置Ａから前記挿入部が前記棒体上でロックされる第２の位置Ｂまで、前記棒体を回転させるための少なくとも１つの制御メンバーを有する。
【０００９】
本発明の他の有利な変種によると、以下の特徴がある。
−  制御要素は、棒体の少なくとも一方の端にて少なくとも１つのカラーによって形成される軸方向の保持要素を有する。
−  軸方向の保持要素は、腕時計ケースの側方止め面と連係している。
−  前記少なくとも１つのカラーには、工具と連係するように構成している溝がある。
−  前記カラーには、第１の位置Ａを示すガイドマークがある。
−  前記棒体には、その各端の近くに平坦部分がある。
−  前記腕時計ケースは、棒体の位置を維持する手段を有し、前記維持する手段は、棒体のアーバーに形成されるキャビティと連係するように構成している少なくとも１つのボールキャッチを有する。
−  前記腕時計ケースは、直径が棒体のアーバーの直径に対応する通路がある中央ホーンを有する。
−  前記中央ホーンは、ねじによってケース上に保持される取り外し可能なキャップを有する。
−  前記挿入部の断面はＣ字状である。
【００１０】
添付の図面を参照しながら本発明に係る腕輪を取り付けるためのデバイスの例示的な実施形態についての下記の詳細な説明を読むことで、本発明の他の特徴及び利点が明確になるであろう。この例は、純粋に説明のために与えられるものであって、これに限定されない。
【図面の簡単な説明】
【００１１】
【図１】図１ａ〜１ｄは、本発明に係る取り付けデバイスを備える腕時計ケースの斜視図と断面図を示している。
【図２】図２ａ及び２ｂは、腕時計ケースに取り付ける前の腕輪とともに同じ腕時計ケースを示している。
【図３】図３ａ〜３ｃは、腕輪の取り付け時の本発明に係る取り付けデバイスを示している。
【図４】図４ａ〜４ｃは、腕輪のロック時の本発明に係る取り付けデバイスを示している。
【発明を実施するための形態】
【００１２】
図１ａ〜１ｄは、腕時計と、本発明の好ましい実施形態に係る腕輪２を腕時計ケース１に取り付けるためのデバイスについての詳細な図を示している。腕輪２を腕時計ケース１に取り付けるためのデバイスは、一方では、ケースと一体化されている少なくとも１つのホーンによって腕時計ケースに固定された棒体４を有し、他方では、腕輪２の端と一体化された挿入部を有する。ここで、棒体４と挿入部２０は、腕輪を交換可能にすることができる取り外し可能なアセンブリー手段を形成するように、一方が他方の内側になるように嵌まることによって連係するように相補的である。
【００１３】
図１ｃ及び１ｄにて観察できるように、腕時計ケースは、直径が棒体４のアーバーの直径に対応するような通路がある中央ホーンを有する。これによって、棒体４がハウジング内にて自由に回転できる。中央ホーン１０は２つの部品によって形成されている。すなわち、腕時計ケースとともに形成され、棒体４を受けるように構成している溝１１０がある第１の部品１１と、及びねじ１３によって、第１の部分上にて保持され、これによって、腕時計ケース１に保持される取り外し可能なキャップ１２によって形成される第２の部分とである。このような構成によって、迅速かつ棒体を破損したりねじったりするリスクなしで、容易に組み立てと分解が可能になる。
【００１４】
好ましいことに、腕時計ケース１は、棒体４の位置を維持する手段を有する。図１ｃに示すように、この維持する手段は、１対のボールキャッチ１４の形態であり、各ボールキャッチ１４は、棒体４のアーバー４０上に形成される、キャビティの第１の対４２及びキャビティの第２の対４２’と連係するように構成している。もちろん、当業者は、ボールキャッチの他の代替構成を実装することができる。例えば、平坦部分に載るジャンパーやばねである。
【００１５】
本発明によると、棒体４は、少なくとも１つの平坦部分４１を有し、円筒状のアーバー４０によって形成され、平坦部分４１は、腕輪部分２又はリンクの挿入部２０に形成された少なくとも１つのハウジング２１に嵌まることによって連係するように構成している。
【００１６】
ハウジング２１は、棒体４の平坦部分４１を受ける実質的に長方形の開口２１０があり、この開口２１０の高さと長さは、棒体４の平坦部分４１の高さと長さに対応している。
【００１７】
図示した本発明の好ましい実施形態によると、棒体４には、棒体４の各端の近くに配置される２つの平坦部分４１があり、これによって、中央ホーンの各端に１つの平坦部分４１があり、各平坦部分４１は、１つの挿入部２０と連係する。
【００１８】
好ましいことに、棒体４は、棒体４の平坦部分４１が挿入部を受けることができる第１の位置Ａから挿入部が棒体４上にてロックされている第２の位置Ｂまで棒体４を回転させる少なくとも１つの制御メンバーを有する。
【００１９】
本発明の特定の実施形態によると、カム上のジャンパーばね又は棒体上のねじればねのような弾性戻し手段によって、位置Ｂから位置Ａまで棒体４を戻すことができる。
【００２０】
図示しているように、制御メンバーは、棒体４の各端と一体化されているカラー４３を有しており、これによって、棒体４とカラー４３が単一の要素を形成している。また、棒体４の空欠部内にマウントされる挿入部の先端部によって、カラー４３を棒体４の端に組み立てることを思い描くことができる。この場合において、棒体４の端にて内側バンプを設けて、挿入部の先端部と連係させて、カラー４３を棒体４内へとスナップ嵌めする。カラー４３を固定する他の手段を思い描くことができる。例えば、接着結合、溶接又は圧入である。これらのカラーは、棒体４と挿入部２１のための軸方向の保持要素としてはたらく。
【００２１】
したがって、棒体４は、３つの部品によって構成することができ、また、１つの部品のみを形成することができる。これにおいて、カラー４３がアーバー４０の端にてプリモールドされ、このとき、平坦部分４１とキャビティ４２、４２’がアーバー４０にて直接作られる。また、棒体４のアーバー４０とカラー４３の両方の断面は、円筒状であるように選ぶことが好ましく、これによって、軸Ａ−Ａのまわりの回転自由度を増すことができる。
【００２２】
好ましいことに、中央ホーン１０は、形と深さがアーバー４０の形と深さと相補的な溝１１０に対して相補的な半径方向の保持要素としてはたらき、これによって、棒体４が適所にセットされた後には、棒体４は溝１１０から出ることはできない。なお、図１ｃ及び１ｄにおいて、中央ホーン１０にはボールキャッチ１４を受ける２つのハウジングがあり、このボールキャッチ１４が棒体４のキャビティ４２、４２’と連係するように構成しており、それらの大きさと深さがそれぞれ、キャッチ１４が棒体４のキャビティ４２又は４２’内にて係合している場合に棒体４には溝１１０内にていずれの自由度もないように構成している。
【００２３】
図２ａ及び２ｂに示すように、取り付けデバイスには、腕輪部分の挿入部２０に形成されたハウジング２１がある。ハウジング２１は、腕輪部分の挿入部２０内に形成された円筒状の溝２１０によって形成される開いたハウジングの形態である。この円筒状の溝２１１には、ハウジングの形と合うように２つの平坦部分４１を有する円筒状の棒体４の挿入と保持のための長方形の開口２１０がある。したがって、図２ｂ及び３ｂの断面図において、溝２１１がＣ字状の断面図を有することを観察することができる。
【００２４】
図１に示している好ましい実施形態によると、腕時計ケース１には、第１の鉛直方向の側壁１００があり、この側壁１００に対向するように、ケースミドル部に、中にカラー４３を収容する側方空欠部１０１が形成されている。ここでカラー４３が円筒状であることが好ましいので、側方空欠部１０１は、腕時計ケース１にてカラー４３の形と合うように凹んでいる円筒状の形を有する。
【００２５】
ケース１に腕輪２を取り付けるために、図３ａ及び３ｂに示すように、例えば、腕輪部分の端に対応する挿入部２１は、棒体４の平坦部分４１に対向するようにハウジング２１の開口２１０を持ってきて棒体４をハウジング２１内に収容することによって、棒体４に挿入される。平坦部分４１の適切なポジショニングを促進するために、挿入部２０を適切な位置にセットするために、ガイドマーク４４が少なくとも１つのカラー４３上に設けられて棒体４の第１の位置Ａを示す。また、ユーザーがガイドマーク４４を見えるようになった後で、ボールキャッチ１４がアーバー４０の第１のキャビティ４２と連係するように配置されて、アーバー４０を位置Ａにロックする。
【００２６】
挿入部２１が棒体４上の適切な位置に配置された後に、ユーザーは、平坦部分４１が軸Ａ−Ａのまわりに少なくとも４５°、好ましくは、９０°、角度的にシフトするまで、位置Ｂまで、カラーによって軸Ａ−Ａのまわりに棒体を回転させる。したがって、図４ｂにて観察できるように、腕輪部分を外すことができなくなる。この位置に挿入部２１を保持するために、ボールキャッチ１４は、軸Ａ−Ａのまわりに同じ値の分、角度的にシフトしたキャビティの第２の対４２’と連係する。
【００２７】
本発明によると、カラー４３の少なくとも１つには、その外側面に、すなわち、腕時計の着用者が見える方の面に、溝４５があり、これによって、カラー４３の操作、及び棒体４に対する挿入部２０のロック及び／又はアンロックを促進するように、工具又はユーザーの指と連係する。
【００２８】
好ましいことに、組み立て時に遊びを抑え、高品質な組み立てを行うことができるように、挿入部２０の形は中央ホーン１０の形と合っている。
【００２９】
上記の実施形態において、挿入部は、皮革、合成繊維、プラスチック、金属、セラミックス又は複合材料で作られた腕輪ないしストラップ上に設けられる。また、棒体４は、金属で作ることが好ましいが、プラスチック、セラミックス又は複合材料でも作ることができる。
【００３０】
これらの本発明の異なる態様のおかげで、腕輪を迅速かつ容易に変えることができる確実な腕輪の取り付けデバイスが提供される。
【００３１】
もちろん、本発明は、図示した例に制限されず、当業者が思い描くことができる様々な変種や改変が可能である。
【符号の説明】
【００３２】
１  腕時計ケース
２  腕輪ないしストラップ
４  棒体
１０  ホーン
１２  キャップ
１３  ねじ
１４  ボールキャッチ
２０  挿入部
２１  ハウジング
４０  アーバー
４１  平坦部分
４２  キャビティ
４３  カラー
４４  ガイドマーク
４５、１１０  溝
２１０  開口
Ａ  第１の位置
Ｂ  第２の位置
Ａ−Ａ  軸
【図１】
2019012069.tif 000003
【図２】
2019012069.tif 000004
【図３】
2019012069.tif 000005
【図４】
2019012069.tif 000006
【外国語明細書】
2019012069000001.pdf